(57)【要約】  第１管状ハウジング部分（１０）と、第１管状ハウジング部分（１０）に開口する第１端部領域（２１）および圧縮チャンバ（Ｃ）を画定しピストン（３０）を収容する第２端部領域（２２）を有する第２管状ハウジング部分（２０）と、第１管状ハウジング部分（１０）によって保持される電動機（４０）と、ピストン（３０）を電動機（４０）に接続する駆動手段（５０）と、第２管状ハウジング部分（２０）の第２端部領域（２２）に対して着座するバルブプレート（７０）と、第２管状ハウジング部分（２０）に固定されてバルブプレート（７０）に対して作用し、内部およびバルブプレート（７０）を通して、圧縮チャンバ（Ｃ）と圧縮機が結合される冷却回路の吸引ライン（１）および放出ライン（２）との間に流体連絡を提供する端部カバー（８０）とを含む小型圧縮機。
2009520898.tif 000002
【特許請求の範囲】
【請求項１】
モータカバー（６０）を保持する第１端部（１１）および開口する第２端部（１２）を有する第１管状ハウジング部分（１０）と、
第１管状ハウジング部分（１０）の第２端部（１２）に開口する第１端部領域（２１）および圧縮チャンバ（Ｃ）を画定する第２端部領域（２２）を有する第２管状ハウジング部分（２０）と、
第２管状ハウジング部分（２０）内に画定された圧縮チャンバ（Ｃ）の内部に配置されるピストン（３０）と、
第１管状ハウジング部分（１０）に固定される電動機（４０）と、
前記電動機（４０）が圧縮チャンバ（Ｃ）の内部で前記ピストン（３０）を往復運動で駆動するように前記ピストン（３０）に電動機（４０）を接続するピストン駆動手段（５０）と、
第２管状ハウジング部分（２０）の第２端部領域（２２）に対して着座して、圧縮チャンバ（Ｃ）の一端部を閉じるバルブプレート（７０）と、
第２管状ハウジング部分（２０）の第２端部領域（２２）に対してバルブプレートを密閉着座して保持するために、第２管状ハウジング部分（２０）に固定されてバルブプレート（７０）に対して作用する端部カバー（８０）とを含み、前記端部カバー（８０）が、内部にバルブプレート（７０）を経由して圧縮チャンバ（Ｃ）と圧縮機が連結される冷却回路の吸引ライン（１）および放出ライン（２）のそれぞれとの間に流体連絡を提供することを特徴とする、小型圧縮機。
【請求項２】
端部カバー（８０）が、第２管状ハウジング部分（２０）の長手延在部の少なくとも部分の周りに固定され、バルブプレート（７０）を取り囲むことを特徴とする、請求項１に記載の圧縮機。
【請求項３】
端部カバー（８０）が、第２管状ハウジング部分（２０）の周りの機械的締まりばめによって固定されることを特徴とする、請求項２に記載の圧縮機。
【請求項４】
端部カバー（８０）に、第２管状ハウジング部分（２０）中に提供される外側ネジ（２３）に係合する内側ネジ（８３）が設けられることを特徴とする、請求項３に記載の圧縮機。
【請求項５】
圧縮チャンバ（Ｃ）と放出ライン（２）との間の流体連絡が、端部カバー（８０）内部に提供される放出チャンバ（８２）によって確立されることを特徴とする、請求項１に記載の圧縮機。
【請求項６】
圧縮チャンバ（Ｃ）と吸引ライン（１）との間の流体連絡が、端部カバー（８０）内部に形成された接続手段（８１）によって確立され、吸引ライン（１）の隣接端部を収容することを特徴とする、請求項１に記載の圧縮機。
【請求項７】
バルブプレート（７０）と端部カバー（８０）との間に配置されたシリンダーカバー（９０）を含み、端部カバーがシリンダーカバー（９０）を通してバルブプレート（７０）に対して作用することを特徴とする、請求項１に記載の圧縮機。
【請求項８】
シリンダーカバー（９０）が端部カバー（８０）によって取り囲まれることを特徴とする、請求項７に記載の圧縮機。
【請求項９】
圧縮チャンバ（Ｃ）と放出ライン（２）との間の流体連絡が、シリンダーカバー（９０）内部に形成された放出チャンバ（９２）によって確立されることを特徴とする、請求項７に記載の圧縮機。
【請求項１０】
圧縮チャンバ（Ｃ）と吸引ライン（１）との間の流体連絡が、シリンダーカバー（９０）内部に形成された吸引ライン（１）の隣接端部への接続手段（９１）によって確立されることを特徴とする、請求項７に記載の圧縮機。
【請求項１１】
圧縮チャンバ（Ｃ）が、第２管状ハウジング部分（２０）の第２端部領域（２２）内部に固定された非摩擦性材料から作られた管状スリーブによって横方向および円周方向にされることを特徴とする、請求項１に記載の圧縮機。
【請求項１２】
ピストンが自己潤滑性材料から作られることを特徴とする、請求項１に記載の圧縮機。
【請求項１３】
第２管状ハウジング部分（２０）が、第１管状ハウジング部分（１０）に直交していることを特徴とする、請求項１に記載の圧縮機。
【請求項１４】
駆動手段（５０）が、ピストン（３０）を電動機（４０）に接続する接続ロッド（５５）を含むことを特徴とする、請求項１３に記載の圧縮機。
【請求項１５】
第１管状ハウジング部分内部に互いに軸方向に間隔を置いて搭載された一対の転がり軸受（１００）と、
一対の転がり軸受（１００）に搭載され第２管状ハウジング部分（２０）の内部に突出して接続ロッド（５５）が接続される偏心端部部分（５２）と第１管状ハウジング部分（１０）の内部に突出する基礎部分（５３）を有するクランクシャフト（５１）とを含み、電動機（４０）が、第１管状ハウジング部分（１０）によってクランクシャフト（５１）の前記基礎部分（５３）に固定されることを特徴とする、請求項１４に記載の圧縮機。
【請求項１６】
クランクシャフト（５１）が、前記クランクシャフト（５１）の偏心端部部分（５２）の領域に提供された釣り合い錘を含むことを特徴とする、請求項１５に記載の圧縮機。
【請求項１７】
クランクシャフト（５１）の偏心端部部分（５２）と基礎部分（５３）が互いに固定された分離した部分から作られることを特徴とする、請求項１６に記載の圧縮機。
【請求項１８】
クランクシャフト（５１）の偏心端部部分（５２）が、前記シャフトの基礎部分（５３）の隣接端部にテレスコープ式に搭載されて固定されることを特徴とする、請求項１７に記載の圧縮機。
【請求項１９】
第１管状ハウジング部分（１０）が、引き伸ばされてその長手に沿って内部に電動機（４０）のステータ（４２）を固定し、クランクシャフト（５１）が、第１管状ハウジング部分（１０）の長手全体に沿って延在し、電動機（４０）のロータ（４１）を保持することを特徴とする、請求項１に記載の圧縮機。
【請求項２０】
モータカバー（６０）が、第１管状ハウジング部分（１０）の第１端部（１１）に固定されることを特徴とする、請求項１９に記載の圧縮機。
【請求項２１】
第１管状ハウジング部分（１０）と端部カバー（８０）の部品の少なくとも一つが外部の熱交換フィン（１２０）を提供されることを特徴とする、請求項１９に記載の圧縮機。
【請求項２２】
第１管状ハウジング部分（１０）に提供される熱交換フィン（１２０）が円周状であることを特徴とする、請求項２１に記載の圧縮機。
【請求項２３】
端部カバー（８０）に提供される熱交換フィン（１２０）が長手方向であることを特徴とする、請求項２２に記載の圧縮機。
【請求項２４】
第２管状ハウジング部分（２０）が、その第１端部に提供されて追加のカバー（２６）によって閉じられた端部開口部（２４）を有することを特徴とする、請求項１に記載の圧縮機。
【請求項２５】
電動機（４０）が、第１管状ハウジング部分（１０）の第１端部（１１）に搭載されそこから間隔を置くそれぞれの端部にモータカバー（６０）を保持することを特徴とする、請求項１５に記載の圧縮機。
【発明の詳細な説明】
【技術分野】
【０００１】
本発明は、冷却システム、詳細には小型電子機器の部品を冷却するために用いられる小型圧縮機に関する。
【背景技術】
【０００２】
一般的に電子機器、特にコンピュータは、マイクロプロセッサおよび集積回路などのいくつかの電子部品を有し、これらの電子部品が適切に動作するために、これらの電子部品の動作特性の維持を保証することに加えて、その温度を所定の温度間隔内、主としてこの温度間隔の上限より低く維持することを必要とする。
【０００３】
主としてこれらの電子部品の処理速度に関する技術的進歩によって、そのような電子部品を用いる機器における過熱および熱散逸の問題が、ますますこれらの電子部品の十分な性能に対する制限要因となり、そのような機器を改善する主な障害の一つとなっている。従来の冷却システム（輻射または対流）は、最も感受性の高い電子部品の効率的な冷却とはならず、またそれらの電子部品を含む機器の動作によって発生した熱の効率的な放散ともならない。
【０００４】
冷媒流体で運転する圧縮機を用いる電子機器用の冷却システム（同様に冷蔵庫および空調機などの家庭冷却システム）の知られている解決策はまた、冷媒流体の圧縮が、通常シリンダー内部のピストンの往復運動によって達成される交互（または往復動）ピストン式であり、そのような圧縮機の運転上の必要性に関して他の不便さを有する。この圧縮機の運転は相対的な動きをする部品のために潤滑油の使用が必要であり、潤滑油の油だめおよび油ポンプシステムの提供を必要とし、それが動作する電子機器中のこの圧縮機のためにより大きな物理的空間を必要とする。
【０００５】
さらに、知られている技術の構造は、圧縮機構の組み立て体中に通常バネの形の懸架手段を用いてピストンの往復運動の結果発生する振動の伝導を低減するが、これはハウジングの最終寸法の拡大が必要であり、したがって、この圧縮機が提供される電子機器中の物理的空間をより多く必要とする。そのような圧縮機の使用はそれらが提供される電子機器の重量増加を招く。これらの全ての欠点に加えて、家庭で使用する知られている冷却圧縮機は設置が困難であり、電子部品の冷却に必要な運転条件に適合しない。
【０００６】
これらの欠点のために、電子機器産業は、往復動ピストンを備える圧縮機を使用しない冷却システムについて記述する米国特許第４４３４６２５号明細書、米国特許第５３６５７４９号明細書、米国特許第６６８７１２２号明細書、および米国特許出願第２００５／０１２３４１８号明細書の文献に提案されたものなどの、冷却のための他の解決策を採用してきた。
【発明の開示】
【発明が解決しようとする課題】
【０００７】
本発明の目的は、特に電子システムの冷却に用いるための小型圧縮機を提供することであり、この圧縮機は家庭冷却機に用いられる往復動圧縮機の動作原理を用いる種類であるが、小さな寸法の電子機器の冷却に設計されたときにそのような圧縮機に知られた従来技術の欠点を有しない。
【０００８】
また、相対運動する部品のために液体潤滑流体を使用する必要のない上述の圧縮機を提供することも本発明の目的である。
【０００９】
また、上述の特徴に加えて、寸法が小型化され、軽量で、小型電子機器中へのその組み立ておよびその交換を容易にし得る圧縮機を提供することも本発明の目的である。
【００１０】
また、上述の往復動ピストンを備え、振動の可能性の少ない圧縮機を提供することも本発明の目的である。
【００１１】
さらに、当分野に知られる種類の懸架システムを必要としない圧縮機構を有する上述の種類の圧縮機を提供することも本発明の目的である。
【課題を解決するための手段】
【００１２】
上述の目的は、モータカバーを保持する第１端部および開口する第２端部を有する第１管状ハウジング部分と、第１管状ハウジング部分の第２端部に開口する第１端部領域および圧縮チャンバを画定する第２端部領域を有する第２管状ハウジング部分と、第２管状ハウジング部分内に画定された圧縮チャンバ内部に配置されるピストンと、第１管状ハウジング部分に固定された電動機と、電動機が圧縮チャンバ内部でピストンを往復運動で駆動するようにこのピストンに電動機を接続するピストン駆動手段と、第２管状ハウジング部分の第２端部領域に対して着座して、圧縮チャンバの一端部を閉じるバルブプレートと、第２管状ハウジング部分の第２端部領域に対してバルブプレートを密閉着座して保持するために、第２管状ハウジング部分に固定されてバルブプレートに対して作用する端部カバーとを含み、この端部カバーが、内部にバルブプレートを経由して、圧縮チャンバと圧縮機が連結される冷却回路の放出ラインおよび吸引ラインのそれぞれとの間に流体連絡を提供する、電子システムなどのいくつかのシステムを冷却するための小型圧縮機を提供することによって達成される。
【００１３】
添付図面を参照して本発明を説明する。
【発明を実施するための最良の形態】
【００１４】
本発明は、排他的ではなく、特に、電子システムを冷却するための小型圧縮機を提供し、一般にこの小型圧縮機は、例えば互いに単一片本体を形成する第１管状ハウジング部分１０および第２管状ハウジング部分２０を含み、この第２管状ハウジング部分２０は、この第２管状ハウジング部分２０内部に画定された圧縮チャンバＣ内で往復動するピストン３０を収容し、第１管状ハウジング部分１０は、本発明の小型圧縮機が連結される冷却システムの冷媒ガスの吸引と圧縮の行程中にこのピストン３０を駆動するための電動機４０を保持する。ピストン３０は、前述のように、ピストン３０の部品に接続された駆動手段５０を経由して電動機４０によって駆動され、電動機が圧縮チャンバＣ内部で往復運動でピストン３０を駆動する。本発明は、互いに対して動く部品が、圧縮機中への潤滑油の提供ならびにこの油の油だめ、およびこの油を運動部品へポンプ供給する手段の必要を省くように作られた圧縮機を含む。
【００１５】
本発明の構造選択肢において、相対的に動く圧縮機の部品は、例えば、いくつかのプラスチックなどの自己潤滑性材料から作られる。本発明の他の構造選択肢において、この相対的に動く部品は非摩擦性材料から作られ、または非摩耗性の低摩擦コーティングが設けられる。
【００１６】
本発明を実施する方法において、ピストン３０は、例えば、いくつかのエンジニアリングプラスチックまたは非摩耗性低摩擦コーティングで被覆された従来の材料などの自己潤滑性材料から作られ、例えば、その内部をピストン３０が動く圧縮チャンバＣは、上述のコーティングを備える外側スリーブを受容することもできる。
【００１７】
相対運動部品間の摩擦を低減することに加えて、本発明の圧縮機の要素を形成する材料の選択は圧縮機中の均衡の課題を考慮する。この概念内で、説明した小型圧縮機は、ピストン３０の往復運動によって発生する非均衡負荷を低減するために、低い質量密度の材料から形成された要素を有することが好ましい。本発明によって作られた圧縮機は、その特性のために、高範囲の回転範囲、例えば、３，０００から１５，０００ｒｐｍで用いることができる。
【００１８】
第１管状ハウジング部分１０は、モータカバー６０を保持する第１端部１１、および第２管状ハウジング部分２０の内部に開口する第２端部１２を有し、第１管状ハウジング部分１０の第２端部１２に開口する第１端部領域２１、および圧縮チャンバＣを画定する第２端部領域２２を有する。
【００１９】
図示した実施形態において、第２管状ハウジング部分２０はシリンダーを形成し、その内部にピストン３０がその吸引と圧縮行程との間に搭載される。しかしながら、第２管状ハウジング部分２０の長手延在部の内部に固定され、上述のように圧縮チャンバＣを内部に画定する、例えば、非摩擦性材料の管状スリーブを保持する第２管状ハウジング部分２０などの他の構造も可能であることを理解すべきである。
【００２０】
その中に吸引オリフィス７１と放出オリフィス７２が形成され、それぞれの吸引バルブ７３とそれぞれの放出バルブ７４で選択的に閉じられるバルブプレート７０は、第２管状ハウジング部分２０の第２端部領域２２に対して着座し、ピストン３０がそれに対向してそれを通して搭載される圧縮チャンバＣの一端部を閉じる。
【００２１】
本発明の圧縮機は、バルブプレート７０を第２管状ハウジング部分２０の第２端部領域２２に対して密閉着座して保持するために、第２管状ハウジング部分２０に固定されてバルブプレート７０に対して作用する端部カバー８０をさらに含み、この端部カバー８０は、圧縮チャンバＣと圧縮機が連結される冷却回路（図示せず）の吸引ライン１と放出ライン２のそれぞれとの間にバルブプレート７０の内部およびそれを経由して流体連絡を提供する。
【００２２】
本発明によれば、圧縮チャンバＣと吸引ライン１との間の流体連絡は、端部カバー８０の内部に提供され吸引ライン１の隣接端部を収容する通路の形状の接続手段８１によって確立される。圧縮チャンバＣと放出ライン２との間の流体連絡は、端部カバー８０の内部に提供された放出チャンバ８２によって確立され、本圧縮機が連結される冷却システムへ供給される圧縮チャンバＣ中で圧縮された冷媒ガスを放出ライン２を経由して受容する。
【００２３】
本発明によれば、端部カバー８０は、例えば、バルブプレート７０を取り囲む第２管状ハウジング部分２０の長手延在部の少なくとも部分または全体の周りに固定され、この固定は、例えば、接着または機械的締まりばめ、例えば、端部カバー８０に提供された内側ネジ８３を動かして、第２管状ハウジング部分２０の第２端部領域２２中に提供された外側ネジ２３に係合させることによって実施される。
【００２４】
本明細書に図示された実施形態は、圧縮チャンバＣと吸引ライン１との間に接続手段８１を経由して流体連絡を有するが、本発明は、端部カバー８０または以下に説明するような端部カバー内部のカバーに提供された吸引チャンバを経由して吸引ライン１と圧縮チャンバＣとの間の流体連絡を有する構造にも適用されることを理解すべきである。
【００２５】
接続手段８１を経由する冷却ガスの供給は、圧縮シリンダーの圧縮チャンバＣ内部に吸引バルブ７３を経由して直接および密閉して行われ、第２管状ハウジング部分２０中に画定される空洞２０ａの内部の吸引圧力と放出圧力の中間値を有する動作圧力を確立する。この構造はピストン３０による圧力差をより小さくし、したがって、圧縮による軸受上の負荷をより小さくする。さらに、この構造はピストン３０と第２管状ハウジング部分２０のシリンダー間の間隙を経由するこの空洞２０ａ内部へのガス漏れを最小にし、安定した動作の際、圧縮機のエネルギー生成を増加させ、従来の圧縮機に用いられるものよりも大きな直径差のピストン３０とシリンダーとの間の間隙の使用を可能にする。
【００２６】
放出チャンバ８２は、圧縮機の運転によって発生する冷媒ガスの脈動を緩和するためにその内部容積の使用を最大化するように設計され、吸引ライン１から既存の放出容積を分離する。構造の選択肢において、この構造は放出バルブシステムの固定をさらに提供する。
【００２７】
図１から図５の図示によれば、端部カバー８０は単一片に作られ、内部に接続手段８１と放出チャンバ８２が設けられる。しかしながら、図６および図８に示したように、本明細書に示した概念内で、シリンダーカバー９０が内部から端部カバー８０へ、以下に説明するようにバルブプレート７０に対して着座し、例えば、このシリンダーカバー９０が、端部カバー８０によって部分的にまたは全体を取り囲まれる他の構造が可能である。この構造において、シリンダーカバーは、内部に圧縮チャンバＣと吸引ライン１との間の流体連絡のための接続手段９１、および圧縮チャンバＣおよび放出ライン２で圧縮されたガスを受容する放出チャンバ９２を画定する。
【００２８】
この構造において、シリンダーカバー９０とバルブプレート７０の部分の第２管状ハウジング部分２０の第２端部領域２２に対する着座条件を維持するために、端部カバー８０は、図６に示すように、押圧されて第２管状ハウジング部分２０に溶接される。
【００２９】
端部カバー８０の第２管状ハウジング部分２０への固定は圧縮機の密閉性を高め、さらに互いにボルト、リベットなどによって固定された部品の相互着座のためのフランジ部分を省くため、その寸法縮小が可能になる。
【００３０】
本発明によれば、端部カバー８０またはシリンダーカバー９０中に確立される吸引側と放出側との間の封止の維持は、動作中、封止結合２５を提供することによって保証される。第２管状ハウジング部分２０の第２端部２２の囲いを含み圧縮機のヘッドを形成する部品の位置決めを確実にするために整列ピン２６が用いられる。最小の圧縮チャンバを調節し圧縮チャンバＣ中に存在する望ましくない容積を制限するために、封止結合２５が第２管状ハウジング部分２０の端部部分２２と吸引バルブ７３との間に加えられる。図示した実施形態において、第１管状ハウジング部分１０は第２管状ハウジング部分２０に直交して形成され、駆動手段５０は、第２管状ハウジング部分２０の内部に突出する偏心端部部分５２と第１管状ハウジング部分１０の内部に突出する基礎部分５３を有するクランクシャフト５１を含み、電動機４０はクランクシャフト５１の上記基礎部分５３に固定される。
【００３１】
図１から図５に図示した実施形態において、電動機は、回転運動を行ってクランクシャフト５１の基礎部分５３に直接固定された内部要素またはロータ４１と、第１管状ハウジング部分１０に固定され、引き伸ばされた外部要素またはステータ４２とを含む。この構造において、モータカバー６０は管状ハウジング部分１０の第１部分の第１端部１１に固定される。
【００３２】
図７および図８に示した構造選択肢において、電動機４０は、クランクシャフト５１の基礎部分５３の内部へのモータシャフト部分４０ａのテレスコープ式搭載によって、クランクシャフト５１の基礎部分５３に固定される。この構造において、モータカバー６０はこの電動機４０の端部部分に固定され、これはクランクシャフト５１へのモータシャフト４０ａの固定と逆である。この構造において、第１管状ハウジング部分１０は、電動機４０の隣接端部部分を取り囲んで電動機をこの第１管状ハウジング部分１０に固定するために、第１端部１１の周りに搭載された管状スリーブ１５を保持する。
【００３３】
本発明を実施する一つの方法によれば、クランクシャフト５１は、偏心端部部分５２と基礎部分５３を単一片で含み、少なくとも第１管状ハウジング部分１０に沿って電動機４０の搭載領域を延伸する。
【００３４】
本発明を実施する他の方法によれば、クランクシャフト５１は互いに連結された２つ以上の部品によって形成され、この部品の一つは偏心端部部分５２によって形成され、他の基礎部分５３は、締まりばめ、接着剤等の適切な手段によってこの偏心端部部分５２に連結され固定される。
【００３５】
図４および図５の図示によれば、偏心端部部分５２は、クランクシャフト５１の基礎部分５３の隣接端部をテレスコープ式に収容する管状自由端部を有する。
【００３６】
駆動手段５０はピストン３０を電動機４０に接続する接続ロッド５５をさらに含み、この接続ロッド５５はピストン３０内部に搭載された小さなハトメ（ｅｙｅ）５５ａおよびクランクシャフト５１の偏心端部部分５２に搭載された大きなハトメ５５ｂを有する。
【００３７】
この構造において、小さなハトメ５５ａは、ピストン３０内部に配置された関節ピン３１の周りにその上に提供された孔３２によって搭載され、ピストン３０の上記関節ピン３１は、ピストン３０の孔３２の直径間隙を制御して接続ロッド５５の小さなハトメ５５ａ中に押し込まれるように作られる。関節ピン３１と孔３２との間の摩擦を低減するためにピストン３０の自己潤滑の特徴が用いられ、これらの部品間の摩耗を防止する。
【００３８】
本発明によれば、説明している小型圧縮機は第１管状ハウジング部分１０内部に互いに間隔を置いて軸方向に搭載されクランクシャフト５１を保持する一対の転がり軸受１００を含む。
【００３９】
クランクシャフト５１の偏心端部部分５２の組み立て状態の維持は、軸受ユニット１００、クランクシャフト５１、および電動機４０を第１管状ハウジング部分１０の軸に同時に同軸状に挿入することによって得られ、接続ロッド５５の大きなハトメ５５ｂに予め搭載された補助転がり軸受１１０でピストン３０組み立て体の接続ロッド５５、ピストン３０、および関節ピン３１の位置を保持する。
【００４０】
図７および図８に示した構造において、クランクシャフト５１は偏心端部部分５２を有し、該偏心端部部分５２は、転がり軸受１００の一つによって支持されクランクシャフト５１のこの偏心端部部分５２の下方に提供された釣り合い錘５６を貫通する。クランクシャフト５１の組み立て体の釣り合いを維持するために、一対の転がり軸受１００の他の転がり軸受１００が偏心端部部分５２の管状自由端部部分の周りに搭載され、電動機４０のモータシャフト４０ａの隣接端部とテレスコープ式に連結し、この電動機４０は、モータシャフト４０ａから間隔を置くそれぞれの端部４２中にモータカバー６０を保持する。
【００４１】
ピストン３０、その駆動手段、および電動機４０の組み立てを容易にするために、本発明の第２管状ハウジング部分２０はその第１端部領域２１に形成された端部開口部２４を有し、好ましくは管状部分２０の第１端部部分２１に溶接された追加のカバー２６によって閉じられる。
【００４２】
本発明によれば、第１管状ハウジング部分１０および端部カバー８０の少なくとも一つの部分の外部に熱交換フィン１２０が設けられ、本圧縮機の運転中の冷却を可能にする。図示した実施形態において、第１管状ハウジング部分１０および第２管状ハウジング部分２０の部品には熱交換フィンが設けられ、モータおよび圧縮チャンバＣ中の冷媒流体の圧縮によって発生した熱を圧縮機の外部へ放出することを可能にする。
【００４３】
本発明を実施する一つの方法において、第１管状ハウジング部分１０に提供された熱交換フィン１２０は円周状であり、端部カバー８０に提供された熱交換フィン１２０は長手方向である。
【００４４】
熱交換フィン１２０は、それぞれ第１および第２管状ハウジング部分１０、２０に提供されてこのハウジング部分の円周状寸法を妨害しないような寸法にされた溝１３、２７によって形成される。
【図面の簡単な説明】
【００４５】
【図１】本発明の圧縮機の概略的前面図を示す。
【図２】図１に示した圧縮機の概略的上部図を示す。
【図３】図１に示した圧縮機の概略的側面図を示す。
【図４】図１に示した圧縮機の概略的長手断面図を示す。
【図５】図４に示した圧縮機の概略的展開斜視図を示す。
【図６】ピストンがその圧縮行程の中間位置にあるシリンダーの頂部領域の概略的拡大長手断面図を示す。
【図７】図１に示した圧縮機のための代替構造の概略的前面図を示す。
【図８】図７に示した圧縮機構造の概略的長手断面図を示す。
【図１】
2009520898.tif 000003
【図２】
2009520898.tif 000004
【図３】
2009520898.tif 000005
【図４】
2009520898.tif 000006
【図５】
2009520898.tif 000007
【図６】
2009520898.tif 000008
【図７】
2009520898.tif 000009
【図８】
2009520898.tif 000010
【国際調査報告】
2009520898.tif 000011
2009520898.tif 000012
2009520898.tif 000013